(57)【特許請求の範囲】
【請求項１】
電波暗室内で使用される電波反射防止装置であって、
（1）前記電波反射防止装置の本体は、補強材で補強された、電波吸収体が取付けられる電波反射板と、前記電波反射板を自立させる自立支持脚部とから構成されている。
（2）前記電波反射板は、金属材料が使用されている。
（3）前記電波反射板の表面は、鉛直よりも後方に一定の傾斜角度を有している。
（4）前記電波吸収体は、着脱式になっている。
以上の構成から成ることを特徴とする、電波反射防止装置。
【請求項２】
請求項１記載の電波反射防止装置において、前記電波吸収体が全て取付いた状態で、前記電波吸収体全体の重心位置が、前記電波反射防止装置の本体の重心位置と平面的に一致もしくはその近傍にあるように、鉛直よりも後方に傾斜していることを特徴とする、電波反射防止装置。
【請求項３】
請求項１または２記載の電波反射防止装置において、
前記電波反射板の表面には、前記電波吸収体を取付けるための嵌合受け金物が取付けられており、その嵌合受け金物に相対する取付け金物が前記電波吸収体の裏面に設けられていることを特徴とする、電波反射防止装置。
【発明の詳細な説明】
【技術分野】
【０００１】
本発明は、電波暗室内で使用される、不要電波の反射を防止する装置に関する。
【背景技術】
【０００２】
電磁シールドされた電波暗室の内壁面および天井面は、電波吸収体で全面的に覆われるのが一般的だが、壁付コンセントや照明など、電波吸収体で完全に覆うことのできない部分があり、その電波反射が計測の障害になることがあった。
【０００３】
そのような場合、例えば、図１に図示のように、電波吸収体２、２、・・・を取付けた移動式の衝立を電波反射防止装置（以下、装置１と称す）として、前記壁付コンセントなどの反射物Ｒの前面に設置して、不要な電波反射を防止するのが従来の方法であった。
【０００４】
従来の装置１は、例えば、キャスター車輪６、６、・・・を有する台車５に、補強リブ４、４、・・・で補強された反射板３を鉛直に取付け、その反射板３表面に電波吸収体２、２、・・・を接着剤で貼付けたものであり、キャスター車輪６、６、・・・を転がして床面１０上を移動し、前記反射物Ｒの前面に設置し、転倒防止のために錘Ｗを前記台車５上に置く場合もあった。
【０００５】
一方で、電波暗室の目的によっては、床面１０からの電波反射も防ぐ必要があり、その場合は、床面１０にも電波吸収体２a、２a、・・・を敷き詰めることになる（図２参照）。
【０００６】
しかし、装置１を所定の位置まで運ぶ場合、電波吸収体付きのためかなりの重量になるので、電波吸収体２a、２a、・・・の保護カバー２b、２b、・・・上をキャスター車輪６、６、・・・を転がして移動すると、電波吸収体２a、２a、・・・を損傷する可能性があり、また、装置１を人力で運搬するにも、重量が重く実用上問題があった。
【０００７】
上記のように、床面にも電波吸収体を敷き詰められた電波暗室において、前記反射物の電波反射を防ぐための、取り扱い容易で軽量な電波反射防止装置が求められていた。
【０００８】
この課題に関連した先行技術としては、例えば、特許文献１がある。特許文献１では、ＩＣタグの読み取り精度に影響するアンテナ間の電波干渉や壁からの反射電波を回避するため、導電性繊維と非導電性繊維とこれら繊維を結合する結合材との複合材から成るＩＣタグ誤認識防止用仕切板が示されており、ＩＣタグの種類や配置具合が変更されても、リーダライタやアンテナの調整を不要とする、前記仕切板の位置または角度を変更できる構造として、キャスター付き基部に設置されたスタンドもしくは傾動可能な柱部を有する衝立の実施態様例が開示されている。
【０００９】
前記仕切板の位置または角度を変更する構造において、位置変更は前記キャスターにより可能であり、角度変更は、前記仕切板が転動可能に前記スタンドに軸着されていること、もしくは前記傾動可能に前記キャスター付き基部に軸着された柱部を傾斜させることよって可能となっている。
【００１０】
以上のように、特許文献１のＩＣタグ誤認識防止用仕切板は、ＩＣタグの読み取り精度に影響するアンテナ間の電波干渉や壁からの反射電波を回避することを目的とし、前記ＩＣタグの読み取り時の状況に対する柔軟性を高めるために、ＩＣタグの種類や配置具合が変更されても、リーダライタやアンテナの調整が不要となるように、前記仕切板の位置または角度を変更できるようにした構造である。
【００１１】
しかし、前記仕切板は一定の大きさの１枚物であって、その位置移動にはキャスターを用いており、かつ前記仕切板あるいは前記スタンド等の重量がどの程度なのかは言及がなく不明であるので、床面にも電波吸収体を敷き詰められた電波暗室での使用には不向きである。よって、本発明における前記課題を解決するものとは言えず、また示唆するものではない。
【先行技術文献】
【特許文献】
【００１２】
【特許文献１】特許第６５４６８２４号
【発明の概要】
【発明が解決しようとする課題】
【００１３】
本発明は、特に、床面にも電波吸収体が敷き詰められた電波暗室において使用する、実用上取り扱い容易で軽量な電波反射防止装置を提供するものである。
【課題を解決するための手段】
【００１４】
上記課題を解決するための本発明の手段は、以下の通りである。
（1）電波反射防止装置の本体(以下、装置本体と称する)は、骨組または補強板等（以下、補強材と称する）で補強された、電波吸収体が取付けられる電波反射板と、前記電波反射板を自立させる自立支持脚部とから構成されており、前記補強材と前記自立支持脚部は、木材またはアルミ等の少なくとも鉄よりも比重の軽い材料から成る。
（2）前記電波反射板は、アルミ等の少なくとも鉄よりも比重の軽い金属材料が使用されている。
（3）前記電波反射板の表面は、鉛直よりも後方に一定の傾斜角度を有している。
（4）前記電波吸収体は、着脱式になっている。
【００１５】
前記電波吸収体が全て取付いた状態で、前記電波吸収体全体の重心位置が、前記装置本体の重心位置と平面的に一致もしくはその近傍にあるように、鉛直よりも後方に傾斜させてもよい。
【００１６】
また前記電波反射板の表面に、電波吸収体を取付けるための嵌合受け金物を取付け、その嵌合受け金物に相対する取付け金物が前記電波吸収体の裏面に設けてあればよい。
【００１７】
本発明は、以上のような手段によるので、床面にも電波吸収体が敷き詰められた電波暗室内で使用する場合、装置本体が軽量なので、電波吸収体の取付かない状態で人力にて、所定位置まで歩行運搬して設置することが容易である。
【００１８】
その後、電波吸収体のみを１個づつ持ち運び、下段の電波吸収体から順次、前記電波吸収体裏面の取付け金物を、前記電波反射板表面の嵌合受け金物に嵌合すればよい。
【００１９】
前記電波吸収体が全て取付いた状態では、電波吸収体全体の重心位置が、前記装置本体の重心位置と一致もしくはその近傍にあるので、転倒に対して極めて安定したものとなる。
【発明の効果】
【００２０】
本発明は、以上のような手段によるので、次のような効果が得られる。
(1)装置本体が軽量でかつ電波吸収体が着脱式なので、持ち運びが容易である。
(2)電波吸収体全体の重心位置が、前記装置本体の重心位置と一致もしくはその近傍にあるので極めて安定性がよく、従来のような錘は不要である。
(3)以上のことより、作業者の負担が軽減されるので、作業効率向上に寄与する。
【図面の簡単な説明】
【００２１】
【図１】従来の電波反射防止装置の例であり、（a）は側面図、（b）は（a）のイ−イ断面矢視である。
【図２】本発明の実施例の説明図であり、（a）は側面図、（b）は（a）のロ−ロ断面矢視、（c）は（a）のハ−ハ断面視であって嵌合受け金物の配置図、（d）は裏面に取付け金物が付いた電波吸収体の側面図である。
【発明を実施するための形態】
【００２２】
図２に本発明の実施例を示す。電波反射防止装置１の装置本体は、電波吸収体２、２、・・・を取付ける電波反射板３とその補強材としての骨組６とから成る衝立部７aと、衝立部７aの自立を確保するための自立支持脚部７bとから成り、木材やアルミ等の比重の軽い材料が用いられている。電波を反射させる電波反射板３も軽量化のためアルミ等を用いている。
【００２３】
電波吸収体２、２、・・・が取付けられる電波反射板３の表面は、鉛直よりも後方に一定の傾斜角度を持たせている。その理由は、電波吸収体２、２、・・・の全体の重心位置が、装置本体の重心位置と平面的に一致もしくはその近傍にあるようにするためである。
【００２４】
なお、図２（a）に図示の自立支持脚部７bと骨組６とを繋ぐ方杖７cは、電波吸収体２、２、・・・の全体の重量が軽い場合はなくてもよい。
【００２５】
電波反射板３の表面には、図２（c）に図示のように、電波吸収体２、２、・・・を取付けるための嵌合受け金物８a、８a、・・・が電波吸収体１つに付き4か所に配設されており、その嵌合受け金物８a、８a、・・・に相対する取付け金物（例えば、フック状金物。図２（d）参照）８b、８b、・・・が電波吸収体２、２、・・・の裏面に設けられている。
【００２６】
本発明は、以上のような構成であるので、床面にも電波吸収体２、２、・・・が敷き詰められた電波暗室内で使用する場合、装置本体が軽量なので、先ず、電波吸収体２、２、・・・が取付いていない装置１の装置本体を、人力にて所定位置まで歩行運搬して設置する。
【００２７】
その後、電波吸収体２のみを１個づつ持ち運び、下段の電波吸収体２から順次、電波吸収体２裏面の取付け金物８b、８b、・・・を、電波反射板３表面の嵌合受け金物８a、８a、・・・に嵌合して取付ければよい。
【００２８】
装置１は、電波吸収体２、２、・・・が全て取付いた状態で電波吸収体２、２、・・・の全体の重心位置が、前記装置本体の重心位置と平面的に一致もしくはその近傍にあるように、後方に傾斜しているので、従来のように錘Ｗがなくても転倒に対して安定したものとなる。
【００２９】
以上のように、本発明による装置１は、床面１０にも電波吸収体２a、２a、・・・が敷き詰められた電波暗室内で使用する場合、装置本体が軽量でかつ電波吸収体２が着脱式なので、人力による装置１の運搬、設置作業が容易かつ効率的である。勿論、床面１０に電波吸収体２a、２a、・・・が設置されていない場合でも使用できることは、言うまでもない。
【産業上の利用可能性】
【００３０】
本発明は、特に、床面にも電波吸収体が敷き詰められた電波暗室内で使用する、電波反射防止装置の運搬、設置作業の改善に大いに貢献する。
【符号の説明】
【００３１】
１：装置（電波反射防止装置）
２、２a：電波吸収体
２b：保護カバー
３：電波反射板
４：補強リブ
５：台座
６：骨組
７a：衝立部
７b：自立支持脚部
７c：方杖
８a：嵌合受け金物
８b：取付け金物（フック状金物等）
１０：床面
Ｒ：反射物
Ｗ：錘
【要約】
【課題】床面にも電波吸収体が貼り詰められた電波暗室において使用する、実用上取り扱い容易で軽量な電波反射防止装置を提供する。
【解決手段】装置１の本体は、電波反射板３とそれを補強する骨組６とから成る衝立部７aと自立支持脚部７bとから成り、木材やアルミ等の比重の軽い材料から成る。電波反射板３はアルミ等を用いる。電波反射板３の表面は、電波吸収体２、２、・・・の全体重心位置が、装置１本体の重心位置と平面的に一致もしくはその近傍にあるように鉛直よりも後方に一定の傾斜角度を持たせている。電波反射板３の表面には、電波吸収体２、２、・・・を取付けるための嵌合受け金物８a、８a、・・・が配設されており、その嵌合受け金物８a、８a、・・・に相対する取付け金物（例えば、フック状金物）８b、８b、・・・が電波吸収体２、２、・・・の裏面に設けられている。
【選択図】図２【図１】
0006837728.tif 000002
【図２】
0006837728.tif 000003